(57)【要約】      （修正有）【課題】超音波診断装置用プローブ内への外部からの液体の侵入を防止して、プローブの作業性、分解性等を改善する。【解決手段】超音波診断装置と超音波探触子を有するプローブとを繋ぐケーブル１と、ケーブル１の外周1aと外周1aを保持する部品2の保持面との間に形成される隙間gから、液体の侵入を防ぐ防水構造において、ケーブル外周保持部品2を柔軟性のある材質から形成し、ケーブル外周保持部品2のプローブ側の先端に凸状形状部2aを形成し、凸状形状部2aと対向して配置されるすり鉢形状部品3のすり鉢形状部3aに凸状形状部2aを押し当てることにより、ケーブル外周保持部品2に形成した先端部2bの内径が小さくなるように変形させて、もって、ケーブル1の前記外周1aを締め付けることによって、縮径部sを形成し、隙間gをなくして封止を行い、外部からの液体の前記プローブ内への侵入を防止する。【選択図】図２
2015027320.tif 000002
【特許請求の範囲】
【請求項１】
超音波診断装置と超音波探触子を有するプローブとを繋ぐケーブルと、該ケーブルの外周と該外周を保持する部品の保持面との間に形成される隙間から、液体の侵入を防ぐ防水構造において、前記ケーブル外周保持部品を柔軟性のある材質から形成し、前記ケーブル外周保持部品の前記プローブ側の先端に凸状形状部を形成し、該凸状形状部と対向して配置されるすり鉢形状部品のすり鉢形状部に前記凸状形状部を押し当てることにより、前記ケーブル外周保持部品に形成した先端部の内径が小さくなるように変形させ、もって、前記ケーブルの前記外周を締め付けることによって、縮径部が形成され、前記隙間をなくし液体の前記プローブ内への侵入を防止したことを特徴とする超音波診断装置用プローブ。
【請求項２】
前記凸状形状部を前記すり鉢形状部に押し付け前記ケーブル外周を締め付ける手段が、前記凸状形状部に形成された雄ネジと前記すり鉢状部品の開口端に形成された雌ねじの螺合による、請求項１に記載の超音波診断装置用プローブ。
【請求項３】
前記凸状形状部を前記すり鉢形状部に押し付け前記ケーブル外周を締め付ける手段が、前記凸状形状部に固着されたねじ込み部品に形成された雌ネジと前記すり鉢状部品の開口端に形成された雄ねじの螺合による、請求項１に記載の超音波診断装置用プローブ。
【発明の詳細な説明】
【技術分野】
【０００１】
本発明は、超音波を用いて生体内の画像を得る医用超音波診断装置のプローブに関し、特に超音波診断装置とプローブとを繋ぐケーブルと、このケーブル外周を保持する保持部材との間に形成される隙間からプローブ内へ液体の侵入を防止する防止構造に関する。
【背景技術】
【０００２】
超音波診断装置用の超音波探触子を有するプローブでは、生体の超音波診断に使用した後は、常時、消毒洗浄するため、防水構造であることが必要とされている。しかし、超音波診断装置とプローブとを繋ぐケーブルの被覆部が、シリコンゴム等の柔軟な素材からできているため、ケーブルとプローブとを繋ぐ部分の完全な防水構造を確保することは、非常に難しいという問題点を有していた。
【０００３】
そのため、従来、この種の防水構造を確保するため、前述したケーブルとこのケーブル外周を保持する部材との間の隙間に接着剤を充填して硬化させ、プローブ内への液体の侵入を防いでいた。
【０００４】
すなわち、従来技術では、図３と図４に示すように、ケーブル外周保持部材１２の内腔に軟質の合成樹脂の被覆１１aを設けたケーブル１１の外周部を接着剤により接着する。そして、プローブＰのハウジング（外装ケース）１５に蓋部材１３を接着剤を硬化させて固着し、蓋部材１３の内周部に形成したネジ部１６に金属または合成樹脂からなる保持金具１４をネジ込んで、ケーブル１１を保持したケーブル外周保持部材１２を固定して、図４に示す液体の侵入経路を塞いで、プローブＰ内への液体の侵入を防止していた。
【０００５】
しかしながら、このような従来の液体の侵入防止方法では、その都度接着剤を当該隙間に必要量充填・塗布して硬化させ、プローブの修理等の場合に分解しなければならない場合には、接着剤により固着された構成部材を一部破壊しなければ分解できないこともあり、そのため、プローブの作業性、分解性等が著しく劣っているとする問題点があった。
【先行技術文献】
【特許文献】
【０００６】
【特許文献１】特開２００２−２９９８５０号公報
【特許文献２】特開２００５−２４５７８５号公報
【発明の概要】
【発明が解決しようとする課題】
【０００７】
本発明が解決しようとする課題は、超音波診断装置用のプローブのケーブル保持部の防水構造を確保するために、接着剤を用いることなく、ケーブル外周を保持する部品をシリコンゴム等の柔軟性のある材質から構成し、ケーブルの外周保持部品への取り付け時に、ケーブルの内径が小さくなるように変形させて隙間をなくして液体のプローブ内への侵入を防止することである。
【課題を解決するための手段】
【０００８】
上記した課題を解決するため、本発明の超音波診断装置用プルーブでは、ケーブル外周保持部品を柔軟性のある材質から構成し、ケーブルの外周保持部品への取り付け時に、ケーブルの内径が小さくなるように変形させて、隙間をなくし、液体のプローブ内への侵入を防止する。
そのため、本発明では、超音波診断装置と超音波探触子を有するプローブとを繋ぐケーブルと、該ケーブルの外周と該外周を保持する部品の保持面との間に形成される隙間から、液体の侵入を防ぐ防水構造において、前記ケーブル外周保持部品を柔軟性のある材質から形成し、前記ケーブル外周保持部品の前記プローブがわの先端に凸状形状部を形成し、該凸状形状部と対向して配置されるすり鉢形状部品のすり鉢形状部に前記凸状形状部を押し当てることにより、前記ケーブル外周保持部品に形成した先端部の内径が小さくなるように変形させ、もって、前記ケーブルの前記外周を締め付けることによって、前記隙間をなくし液体の前記プローブ内への侵入を防止したことを特徴とする。
【０００９】
また、本発明では、前記凸状形状部を前記すり鉢形状部に押し付け前記ケーブル外周を締め付ける手段が、前記凸状形状部に形成された雄ネジと前記すり鉢状部品の開口端に形成された雌ねじとの螺合による。
【００１０】
さらに、本発明では、前記凸状形状部を前記すり鉢形状部に押し付け前記ケーブル外周を締め付ける手段が、前記凸状形状部に固着されたねじ込み部品に形成された雌ネジと前記すり鉢状部品の開口端に形成された雄ねじとの螺合による。
【発明の効果】
【００１１】
柔軟性のあるケーブル外周保持部品の保持部の内径が小さくなるように変形させて隙間をなくすことができ、接着剤を用いることなく、液体のプローブ内への侵入を防止できるようになる。
【図面の簡単な説明】
【００１２】
【図１】本発明の超音波診断装置用プローブの防水機構の分解図を示し、図１（ａ）は、その一部断面斜視図を、また、図１（ｂ）は、その一部断面図を示す。
【図２】図１に示したプローブの防水機構の実施形態の断面図を示し、図２（ａ）は、すり鉢形状部品の内周開口部にケーブル外周保持部品の凸角形状を押し当ててケーブル外周を締め付け縮径部を形成した実施形態を、図２（ｂ）は、すり鉢形状部品のすり鉢形状の斜面に接触させてケーブル外周を締め付け縮径部を形成した実施形態を、また、図２（ｃ）は、ねじ込み部品を別途ケーブル外周保持部品に設けた実施形態を示す
【図３】従来の超音波診断用探触子用プローブの外観を示す斜視図を示す。
【図４】図３に示したプローブの防水機構の部分断面図を示す。
【発明を実施するための形態】
【００１３】
以下、本発明の超音波診断装置用プローブの防水構造の実施形態について添付した図面に基いて説明する。
【００１４】
図１に示すように、本発明の超音波探触子を有するプローブの防水構造は、超音波診断装置（図示なし）とプローブＰを繋ぐ外側を軟質の合成樹脂で被覆されたケーブル１（図１参照）と、このケーブル１を保持する部品２との間に形成される隙間ｇから液体が図１（ｂ）に示す経路からプローブＰ内に侵入するのを防止するよう機能する。
【００１５】
具体的には、ケーブル１の外周１ａを保持する,例えば、シリコンゴム等の柔軟性のある材質からなるケーブル外周保持部品２を断面形状が末広がりの円錐状に形成し、このケーブル外周保持部品２の挿入側の先端２ｂに凸角形状部２ａを形成し、別部品の硬質の合成樹脂等の材質からなる、すり鉢形状部品３のすり鉢状部３ａにすり鉢形状部品３に形成した雌ねじ３ｃにケーブル外周保持部品２の凸角形状部２ａの根元部に形成した図２（ａ）に示す雄ネジ２ｃを図１（ｂ）に示す矢印方向に押し当て、あるいは凸角形状部２ａをすり鉢状部３ａに圧入（嵌合）させ、これにより柔軟性のあるケーブル外周保持部品２の先端２ｂの開口部の内径をその半径方向に小さくなるように変形させ縮径部ｓを形成する。これにより、軟質の材質を被覆したケーブル１の外周１ａをその全周にわたって締め付けることとなり、この個所で隙間ｇがなくなり封止され、プローブＰへの外部からの液体の侵入を防止（阻止）できるようになる。
【００１６】
実施例１
本発明の超音波診断装置用プローブＰの防水機構の実施例１では、図２（ａ）に示すように、ケーブル１の外周１ａを保持する,例えば、シリコンゴム等の柔軟性のある材質からなるケーブル外周保持部品２を断面形状が末広がりの円錐状に形成し、このケーブル外周保持部品２の挿入側の先端２ｂに凸角形状部２ａを形成し、別部品の硬質の合成樹脂等の材質からなる、すり鉢形状部品３のすり鉢状部３ａにすり鉢形状部品３に形成した雌ねじ３ｃにケーブル外周保持部品２の凸角形状部２ａの根元部に形成した雄ネジ２ｃを螺合して押し当てる。
【００１７】
ここで、図２（ａ）に示すように、ケーブル外周保持部品２の凸状形状部２ａの拡開角がすり鉢形状部品３の拡開角より小さく、かつ、すり鉢状部品３の開口部３ｂを越えて形成されているので、先端部２ｂが凸状形状部２ａのすり鉢状の面に線接触し、先端部２ｂが、その半径方向に変形される。
【００１８】
これによって、柔軟性のあるケーブル外周保持部品２の先端２ｂの開口部の内径をその半径方向に小さくなるように変形させる。これにより、軟質の材質を被覆したケーブル１の外周１ａをその全周にわたって締め付けることとなり、縮径部ｓが形成され、この個所で隙間ｇがなくなり封止され、プローブＰへの外部からの液体の侵入を防止（阻止）できるようになる。
【００１９】
実施例２
本発明の超音波診断装置用プローブＰの防水機構の実施例２では、図２（ｂ）に示すように、ケーブル１の外周１ａを保持する,例えば、シリコンゴム等の柔軟性のある材質からなるケーブル外周保持部品２を断面形状が末広がりの円錐状に形成し、このケーブル外周保持部品２の挿入側の先端２ｂに凸角形状部２ａを形成し、別部品の硬質の合成樹脂等の材質からなる、すり鉢形状部品３のすり鉢状部３ａにすり鉢形状部品３に形成した雌ねじ３ｃにケーブル外周保持部品２の凸角形状部２ａの根元部に形成した雄ネジ２ｃを螺合して押し当てる。
【００２０】
ここで、図２(ｂ)に示すように、ケーブル外周保持部品２の凸状形状部２ａの拡開角が,すり鉢形状部品３の拡開角より小さく、かつ、すり鉢状部品３の開口部３ｂ手前まで形成されているので、先端部２ｂが凸状形状部２ａのすり鉢状の斜面に線接触し、先端部２ｂが、その半径方向に変形し、これにより柔軟性のあるケーブル外周保持部品２の先端２ｂの開口部の内径をその半径方向に小さくなるように変形させる。これにより、軟質の材質を被覆したケーブル１の外周１ａをその全周にわたって締め付けることとなり、縮径部ｓが形成され、この個所で隙間ｇがなくなり、封止され、プローブＰへの外部からの液体の侵入を防止（阻止）できるようになる。
【００２１】
実施例３
本発明の超音波診断装置用プローブＰの防水機構の実施例３では、図２（ｃ）に示すように、ケーブル１の外周１ａを保持する,例えば、シリコンゴム等の柔軟性のある材質からなるケーブル外周保持部品２を断面形状が末広がりの円錐状に形成し、このケーブル外周保持部品２の挿入側の先端２ｂに凸角形状部２ａを形成し、別部品の硬質の合成樹脂等の材質からなる、すり鉢形状部品３のすり鉢状部３ａにすり鉢形状部品３の先端に形成した雄ねじ３ｃに別途設けたねじ込み部品４に形成した雌ネジを螺合して押し当てる。
【００２２】
ここで、図２（ｃ）に示すように、ケーブル外周保持部品２の凸状形状部２ａの拡開角が,すり鉢形状部品３の拡開角より小さく、かつ、すり鉢状部品３の開口部３ｂ手前まで形成されているので、先端部２ｂが凸状形状部２ａのすり鉢状の斜面に線接触し、先端部２ｂが、その半径方向に変形し、これにより柔軟性のあるケーブル外周保持部品２の先端
２ｂの開口部の内径をその半径方向に小さくなるように変形させる。これにより、軟質の材質を被覆したケーブル１の外周１ａをその全周にわたって締め付けることとなり、縮径部ｓが形成され、この個所で隙間ｇがなくなり、封止され、プローブＰへの外部からの液体の侵入を防止（阻止）できるようになる。
【符号の説明】
【００２３】
１  ケーブル
２  ケーブル外周保持部品
３  すり鉢形状部品
４  ねじ込み部品
１１  ケーブル
１１ａ  被覆部
１２  ケーブル外周保持部品
１３  蓋部材
１４  保持金具
１５  ハウジング
１６  ネジ部
ｇ    隙間  
ｓ    縮径部
Ｐ    プローブ
【図１】
2015027320.tif 000003
【図２】
2015027320.tif 000004
【図３】
2015027320.tif 000005
【図４】
2015027320.tif 000006